(57)【要約】【課題】  本発明は下部皿部材に上部皿部材を係止させても、上部皿部材を回動させることにより、比較的容易に下部皿部材より外すことができ、異なる色等の口紅等に容易に交換することができる口紅等の収納容器を得るにある。【解決手段】  内筒部材内に上下方向に移動可能に収納された、該内筒部材の切欠部および螺旋部材の螺旋溝と係合する係合ピンが形成され、内壁面に突条の係止部が形成された下部皿部材、この下部皿部材内へ挿入される下部外周部に係止部に係止される係止凹部が形成された口紅等を支持する上部皿部材とからなる皿部材とを備える口紅等の収納容器において、皿部材の上部皿部材を回動させると、下部皿部材の係止部と係止している係止凹部との係止状態を解除する係止解除手段とで口紅等の収納容器を構成している。【選択図】  図６
2005111077.tif 000002
【特許請求の範囲】
【請求項１】
ハカマ部材と、このハカマ部材内に下端部が挿入固定された軸心方向の切欠部が形成された内筒部材と、この内筒部材の外周部を覆うように回動可能に取付けられた螺旋溝が形成された螺旋部材と、この螺旋部材の外周部を覆う下端部が前記ハカマ部材内に収納された外筒部材あるいは内壁面に螺旋溝が形成された外筒部材と、前記内筒部材内に上下方向に移動可能に収納された、該内筒部材の切欠部および前記螺旋部材の螺旋溝あるいは外筒部材の螺旋溝と係合する係合ピンが形成され、内壁面に突条の係止部が形成された下部皿部材および、この下部皿部材内へ挿入される下部外周部に、前記係止部に係止される係止凹部が形成された口紅等を支持する上部皿部材とからなる皿部材とを備える口紅等の収納容器において、前記下部皿部材の上面に、上方へ突出するように形成された複数個の山形状の下部押し上げ片と、この下部押し上げ片と対応する部位の上部皿部材の外周部に下方へ突出し、上部皿部材を回動させると該下部押し上げ片に接触して上方へ押し上げられる複数個の逆山形形状の上部押し上げ片とで構成した係止解除手段を設けたことを特徴とする口紅等の収納容器。
【請求項２】
係止解除手段は上部皿部材の外周部寄りの下面に下方へ突出するように形成された複数個の逆山形形状の上部押し上げ片と、この複数個の上部押し上げ片と上部皿部材を回動させると当接する下部皿部材の内底面に形成された複数個の山形状の下部押し上げ片とで構成されていることを特徴とする請求項１記載の口紅等の収納容器。
【請求項３】
係止解除手段は下部皿部材の内壁面に形成された複数個の山形形状の下部押し上げ片兼用の係止部と、この係止部が入り込む上部皿部材の外周部に形成された係止凹部内に形成された複数個の逆山形形状の上部押し上げ片とで構成されていることを特徴とする請求項１記載の口紅等の収納容器。
【請求項４】
内筒部材には皿部材の上部皿部材の上部が外筒部材の上部よりわずかにしか突出しないように位置させる、切欠部と連通する上部ストッパー用切欠部が形成されるとともに、上部皿部材を下部皿部材より抜き取る場合に、外筒部材の上部より上部皿部材を挟着冶具、あるいは回動冶具で挟着回動あるいは回動できるように突出させることができる切欠部と連通する皿部材突出用切欠部を形成したことを特徴とする請求項１、２、３いずれかに記載の口紅等の収納容器。
【発明の詳細な説明】
【技術分野】
【０００１】
本発明は口紅、リップクリーム、スチックアイシャドウ、スチックファンデーション等の棒状化粧品を収納する口紅等の収納容器に関する。
【背景技術】
【０００２】
従来の口紅収納容器はハカマ部材と、このハカマ部材内に下端部が挿入固定された軸心方向の切欠部が形成された内筒部材と、この内筒部材の外周部を覆うように回動可能に取付けられた螺旋溝が形成された螺旋部材と、この螺旋部材の外周部を覆う下端部が前記ハカマ部材内に収納された外筒部材と、前記内筒部材内に上下方向に移動可能に収納された口紅等を支持する、該内筒部材の切欠部および前記螺旋部材の螺旋溝と係合する係合ピンが形成され、内壁面に突条の係止部が形成された下部皿部材およびこの下部皿部材内へ挿入される下部外周部に前記係止部に係止される係止凹部が形成された口紅等を支持する上部皿部材とからなる皿部材とで構成されている。
【０００３】
このため、いったん口紅を支持した上部皿部材を下部皿部材と係止させた場合、上部皿部材を下部皿部材から外すことができず、色の異なる口紅に充填しなおすことができないという欠点があった。
【特許文献１】特になし。
【発明の開示】
【発明が解決しようとする課題】
【０００４】
本発明は以上のような従来の欠点に鑑み、下部皿部材に上部皿部材を係止させても、上部皿部材を回動させることにより、比較的容易に下部皿部材より外すことができ、異なる色等の口紅等に容易に交換することができる口紅等の収納容器を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はハカマ部材と、このハカマ部材内に下端部が挿入固定された軸心方向の切欠部が形成された内筒部材と、この内筒部材の外周部を覆うように回動可能に取付けられた螺旋溝が形成された螺旋部材と、この螺旋部材の外周部を覆う下端部が前記ハカマ部材内に収納された外筒部材と、前記内筒部材内に上下方向に移動可能に収納された、該内筒部材の切欠部および前記螺旋部材の螺旋溝と係合する係合ピンが形成され、内壁面に突条の係止部が形成された下部皿部材および、この下部皿部材内へ挿入される下部外周部に、前記係止部に係止される係止凹部が形成された口紅等を支持する上部皿部材とからなる皿部材とを備える口紅等の収納容器において、前記皿部材の上部皿部材を回動させると、下部皿部材の係止部と係止している係止凹部との係止状態を解除する係止解除手段とで口紅等の収納容器を構成している。
【発明の効果】
【０００７】
以上の説明から明らかなように、本発明にあっては次に列挙する効果が得られる。
【０００８】
（１）皿部材の上部皿部材を回動させると、下部皿部材の係止部と係止している係止凹部との係止状態を解除する係止解除手段を設けたので、口紅等を色変更等で交換する作業を容易に行なうことができる。
したがって、従来のように交換不能で、産業廃棄物としての処理に比べ、有効利用を図ることができる。
【０００９】
（２）前記（１）によって、上部皿部材を回動するだけでよいので、上部皿部材を外す作業が誰でもが容易にでき、作業コストの低減を図ることができる。
【００１０】
（３）請求項２、３、４も前記（１）、（２）と同様な効果が得られるとともに、係止解除手段は上部皿部材、下部皿部材の成型時に成形することができるので、部品点数が増加することなく、低コストで製造することができる。
【００１１】
（４）請求項５は前記（１）、（２）、（３）と同様な効果が得られるとともに、上部皿部材を下部皿部材より外す場合、外筒部材の上部より上方へ突出させて挟着部材で挟着して回動させることができ、より楽に上部皿部材を外すことができる。
【発明を実施するための最良の形態】
【００１２】
以下、図面に示す本発明を実施するための最良の形態より、本発明を詳細に説明する。
【００１３】
図１ないし図６に示す本発明を実施するための最良の第１の形態において、１は本発明を施した口紅収納容器で、この口紅収納容器１はハカマ部材本体２、このハカマ部材本体２の上部に嵌合固定されたキャップ嵌合部材３とからなるハカマ部材４と、このハカマ部材４内に下端部が挿入固定された軸心方向の切欠部５および上・下部にストッパー用切欠部６、７が形成された内筒部材８と、この内筒部材８の外周部を覆うように回動可能に取付けられた螺旋溝９が形成された螺旋部材１０と、この螺旋部材１０の外周部を覆う下端部が前記ハカマ部材４内に収納された外筒部材１１と、前記内筒部材８内に上下方向に移動可能に収納された、該内筒部材８の切欠部５および前記螺旋部材１０の螺旋溝９と係合する係合ピン１２、１２が形成され、内壁面に突条の係止部１３、１３が形成された下部皿部材１４およびこの下部皿部材１４内へ挿入される下部外周部に前記係止部１３、１３に係止されるリング状の係止凹部１５が形成された口紅１６を支持する複数個の突条で形成された支持部１７が内壁面に形成された上部皿部材１８とからなる皿部材１９と、この皿部材１９の上部皿部材１８を回動させると下部皿部材１４の係止部１３、１３と係止している係止凹部１５との係止状態を解除する係止解除手段２０と、前記外筒部材１１の外周部を覆う、前記ハカマ部材４のキャップ嵌合部材３のキャップ嵌合部３ａと着脱可能に嵌合するキャップ３Ａとで構成されている。
【００１４】
前記係止解除手段２０は図２ないし図６に示すように、下部皿部材１４の上面に上方へ突出するように形成された複数個、４個〜８個の山形状の下部押し上げ片２１、２１、２１、２１と、この下部押し上げ片２１、２１、２１、２１と対応する部位の、前記上部皿部材１８の外周部に下方へ突出し、上部皿部材１８を回動させると、該下部押し上げ片２１、２１、２１、２１に接触して上方へ押し上げられる複数個、４個〜８個の逆山形形状の上部押し上げ片２２、２２、２２、２２とで構成されている。
【００１５】
上記構成の口紅収納容器１は従来と同様にハカマ部材４と外筒部材１１とを持って回動させることにより、螺旋部材１０の螺旋溝９と内筒部材８の切欠部５とによって、係合ピン１２、１２が上下方向へ移動され、外筒部材１１の上端部より口紅１６を出没させて使用することができる。
【００１６】
口紅１６を充填した上部皿部材１８を内筒部材８内に収納された下部皿部材１４に係止させた場合、係止凹部１５に係止部１３、１３が係止されるため、通常の操作では外すことができないが、上部皿部材１８の口紅１６を除去し、上部皿部材１８内の支持部１７に冶具２３を挿入し回動させることにより、係止解除手段２０の上部押し上げ片２２、２２、２２、２２が下部押し上げ片２１、２１、２１、２１によって上方へ押し上げられ、係止部１３、１３の係止凹部１５との係止状態が解除される。
[発明を実施するための異なる形態]
【００１７】
次に、図７ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図７ないし図９に示す本発明を実施するための第２の形態において、前記本発明を実施するための最良の第１の形態と主に異なる点は、上部皿部材１８Ａの外周部寄りの下面に下方へ突出するように形成された複数個の逆山形形状の上部押し上げ片２２、２２、２２、２２と、この上部押し上げ片２２、２２、２２、２２が形成された上部皿部材１８Ａを回動させると当接する下部皿部材１４Ａの内底面に形成された複数個の山形状の下部押し上げ片２１、２１、２１、２１とで構成する係止解除手段２０Ａを用いた点で、このような係止解除手段２０Ａを用いて構成した口紅収納容器１Ａにしても、前記本発明を実施するための最良の第１の形態と同様な作用効果が得られる。
【００１９】
図１０ないし図１２に示す本発明を実施するための第３の形態において、前記本発明を実施するための最良の第１の形態と主に異なる点は、下部皿部材１４Ｂの内壁面に形成された複数個の山形形状の下部押し上げ片兼用の係止部１３Ａ、１３Ａ、１３Ａ、１３Ａと、この係止部１３Ａ、１３Ａ、１３Ａ、１３Ａが入り込む上部皿部材１８Ｂの外周部に形成された係止凹部１５内に形成された複数個の逆山形形状の上部押し上げ片２２、２２、２２、２２とで構成する係止解除手段２０Ｂを用いた点で、このような係止解除手段２０Ｂを用いて構成した口紅収納容器１Ｂにしても、前記本発明を実施するための最良の第１の形態と同様な作用効果が得られる。
【００２０】
図１３ないし図１６に示す本発明を実施するための第４の形態において、前記本発明を実施するための最良の第１の形態と主に異なる点は、皿部材１９の上部皿部材１８を取り外す場合に、外筒部材１１の上部よりニッパー等の挟着治具２４で挟着可能で上方へ突出できるように上部ストッパー用切欠部６よりも上部にアングル状の皿部材突出用切欠部２５を形成した内筒部材８Ａを用いた点で、このような内筒部材８Ａを用いて構成した口紅収納容器１Ｃにしても、前記本発明を実施するための最良の第１の形態と同様な作用効果が得られるとともに、上部皿部材１８より口紅１６を除去することなく、係合ピン１２、１２を内筒部材８Ａの皿部材突出用切欠部２５に口紅１６とハカマ部材４を持って位置させたり、皿部材１９をハカマ部材４の底面より押し上げピンを用いたりして位置させることにより、容易に上部皿部材１８を挟着治具２４で挟着して回動させることができる。
【００２１】
図１７ないし図１９に示す本発明を実施するための第５の形態において、前記本発明を実施するための第４の形態と主に異なる点は、上部皿部材１８Ｃに取り外し時に挟着治具２４が位置する部位を多角形状部２６ができるように形成した点で、このように形成した上部皿部材１８Ｃを用いて構成した口紅収納容器１Ｄにしても前記本発明を実施するための第４の形態と同様な作用効果が得られる。
【００２２】
図２０ないし図２２に示す本発明を実施するための第６の形態において、前記本発明を実施するための第４の形態と主に異なる点は、上部皿部材１８Ｄに取り外し時に外筒部材１１よりも上方に位置する部位にピン挿入凹部２７を形成し、該ピン挿入凹部２７に入り込むピン２８が形成された回動治具２９で回動できるようにした点で、このように形成された上部皿部材８Ｄを用いて構成した口紅収納容器１Ｅにしても、前記本発明を実施するための第４の形態と同様な作用効果が得られる。
【００２３】
なお、前記本発明を実施するための各形態では、口紅収納容器について説明したが、本発明はこれに限らず、上部皿部材にリップクリーム、スチックアイシャドウ、スチックファンデーション等の棒状化粧品を支持させても同様に使用することができる。
【産業上の利用可能性】
【００２４】
本発明は口紅等の収納容器を製造する産業および、これらを使用する産業で利用される。
【図面の簡単な説明】
【００２５】
【図１】本発明を実施するための最良の第１の形態の縦断面図。
【図２】本発明を実施するための最良の第１の形態の皿部材の説明図。
【図３】本発明を実施するための最良の第１の形態の上部皿部材の説明図。
【図４】本発明を実施するための最良の第１の形態の下部皿部材の説明図。
【図５】本発明を実施するための最良の第１の形態の上部皿部材を外す場合の説明図。
【図６】本発明を実施するための最良の第１の形態の上部皿部材が外れる状態の説明図。
【図７】本発明を実施するための第２の形態の縦断面図。
【図８】本発明を実施するための第２の形態の皿部材の説明図。
【図９】本発明を実施するための第２の形態の上部皿部材が外れる状態の説明図。
【図１０】本発明を実施するための第３の形態の縦断面図。
【図１１】本発明を実施するための第３の形態の皿部材の説明図。
【図１２】本発明を実施するための第３の形態の上部皿部材が外れる状態の説明図。
【図１３】本発明を実施するための第４の形態の縦断面図。
【図１４】本発明を実施するための第４の形態の内筒部材の説明図。
【図１５】本発明を実施するための第４の形態の上部皿部材を外す状態に位置させた説明図。
【図１６】本発明を実施するための第４の形態の上部皿部材を外す場合の説明図。
【図１７】本発明を実施するための第５の形態の縦断面図。
【図１８】本発明を実施するための第５の形態の皿部材の説明図。
【図１９】本発明を実施するための第５の形態の上部皿部材を外す場合の説明図。
【図２０】本発明を実施するための第６の形態の縦断面図。
【図２１】本発明を実施するための第６の形態の皿部材の説明図。
【図２２】本発明を実施するための第６の形態の上部皿部材を外す場合の説明図。
【符号の説明】
【００２６】
１、１Ａ、１Ｂ、１Ｃ、１Ｄ、１Ｅ：口紅収納容器、
２：ハカマ部材本体、          ３：キャップ嵌合部材、
４：ハカマ部材、              ５：切欠部、
６：上部ストッパー用切欠部、  ７：下部ストッパー用切欠部、
８、８Ａ：内筒部材、          ９：螺旋溝、
１０：螺旋部材、              １１：外筒部材、
１２：係合ピン、              １３、１３Ａ：係止部、
１４、１４Ａ、１４Ｂ：下部皿部材、
１５：係止凹部、              １６：口紅、
１７：支持部、        
１８、１８Ａ、１８Ｂ、１８Ｃ、１８Ｄ：上部皿部材、
１９：皿部材、
２０、２０Ａ、２０Ｂ：係止解除手段、
２１：下部押し上げ片、        ２２：上部押し上げ片、
２３：治具、                  ２４：挟着治具、
２５：皿部材突出用切欠部、    ２６：多角形状部、
２７：ピン挿入孔、            ２８：ピン、
２９：回転治具。
【図１】
2005111077.tif 000003
【図２】
2005111077.tif 000004
【図３】
2005111077.tif 000005
【図４】
2005111077.tif 000006
【図５】
2005111077.tif 000007
【図６】
2005111077.tif 000008
【図７】
2005111077.tif 000009
【図８】
2005111077.tif 000010
【図９】
2005111077.tif 000011
【図１０】
2005111077.tif 000012
【図１１】
2005111077.tif 000013
【図１２】
2005111077.tif 000014
【図１３】
2005111077.tif 000015
【図１４】
2005111077.tif 000016
【図１５】
2005111077.tif 000017
【図１６】
2005111077.tif 000018
【図１７】
2005111077.tif 000019
【図１８】
2005111077.tif 000020
【図１９】
2005111077.tif 000021
【図２０】
2005111077.tif 000022
【図２１】
2005111077.tif 000023
【図２２】
2005111077.tif 000024